(57)【要約】【課題】壁掛け時においても良好な冷却効率を維持することができる画像表示装置を提供する。【解決手段】画像表示装置１Ａは、前面２ａおよび背面２ｂを有する表示パネル２と、表示パネル２を背面側から収容する筐体３とを備えている。筐体３には、内部換気用の吸気口３３および排気口３４が設けられている。また、筐体３の表示パネル２を取り巻く外周面３０には、当該外周面３０から、表示パネル２の前面側の空気１０が吸気口３３へ流れ込むことを規制するように突出する規制板４１が設けられている。【選択図】図１
2010066654.tif 000002
【特許請求の範囲】
【請求項１】
画像を表示する前面およびこの前面と反対側を向く背面を有する表示パネルと、
前記表示パネルを背面側から収容する筐体であって内部換気用の吸気口および排気口が設けられた筐体と、
前記筐体の前記表示パネルを取り巻く外周面から、前記表示パネルの前面側の空気が前記吸気口へ流れ込むことを規制するように突出する規制板と、
を備える、画像表示装置。
【請求項２】
前記規制板は、前記筐体から遠ざかるにつれて前記表示パネルの前面が向く方向に位置するように屈曲している、請求項１に記載の画像表示装置。
【請求項３】
前記吸気口は、前記筐体における前記表示パネルの背面側に位置する部分に設けられている、請求項１または２に記載の画像表示装置。
【請求項４】
前記外周面は、前記表示パネルの下方に位置する下面、前記表示パネルの上方に位置する上面、および前記表示パネルの側方に位置する一対の側面を有しており、
前記規制板は、前記外周面の一対の側面のそれぞれに設けられている、請求項３に記載の画像表示装置。
【請求項５】
前記規制板のそれぞれは、前記吸気口に対応する高さ領域を上下に横切るように設けられている、請求項４に記載の画像表示装置。
【請求項６】
前記規制板は、前記外周面の下面にも設けられている、請求項４に記載の画像表示装置。
【請求項７】
前記筐体は、前記表示パネルが前傾姿勢となる状態で壁面に取り付けられるものである、請求項１〜６のいずれか一項に記載の画像表示装置。
【請求項８】
前記筐体は、前記表示パネルの前方に窓を形成するフロントカバーと、このフロントカバーに連結されて、前記表示パネルを背面側から覆うバックカバーとを有し、
前記吸気口および前記排気口は前記バックカバーに設けられており、前記規制板は、前記フロントカバーに設けられている、請求項１〜７のいずれか一項に記載の画像表示装置。
【請求項９】
前記表示パネルは、プラズマディスプレイパネルである、請求項１〜８のいずれか一項に記載の画像表示装置。
【発明の詳細な説明】
【技術分野】
【０００１】
本発明は、テレビ映像等の画像を表示する画像表示装置に関するものである。
【背景技術】
【０００２】
近年、テレビ映像等の画像を表示する画像表示装置の薄型化が進み、従来のＣＲＴに代わってプラズマディスプレイパネルまたは液晶パネル等のいわゆる平板型表示パネルを用いた画像表示装置が主流となっている。また、装置の薄型化が進むに伴い、家庭内でも画像表示装置が壁掛けされるケースが多くなっている。
【０００３】
図５は、壁掛けされた画像表示装置であるプラズマディスプレイの内部構成および取り付け構成を概略的に示す縦断面図である。このプラズマディスプレイは、プラズマディスプレイパネル（以下、「ＰＤＰ」という。）１１と、このＰＤＰ１１を背面側から収容し、ＰＤＰ１１の前面側に前面フィルタ１５を保持する筐体１６とを有している（例えば、特許文献１参照）。筐体１６は、フロントカバー１６Ａとバックカバー１６Ｂとからなり、バックカバー１６Ｂに設けられた取付金具１９によりプラズマディスプレイが部屋の壁面１８に壁掛けされる。
【０００４】
筐体１６の内部には、ＰＤＰ１１の他に、ＰＤＰ１１を背面側から伝熱シート１２を挟んで支持するシャーシ１３が収められており、このシャーシ１３のＰＤＰ支持面と反対側の面には、電源回路基板１４ａ、ＰＤＰ駆動回路基板１４ｂ、データドライバ１４ｃ、およびチューナボックス１４ｄが取り付けられている。
【０００５】
筐体１６の内部において、大きく発熱するデバイスはＰＤＰ１１とデータドライバ１４ｃである。ＰＤＰ１１は、ガス放電を利用して画像を表示するという動作原理のために高温になる。ＰＤＰ１１が高温になると、ＰＤＰ１１内部に形成されている電極の電気容量が変化し、正常な放電が行われなくなって表示画像の質が劣化する。表示画像の質を劣化させないためには、ＰＤＰ１１で発生する熱を筐体１６の外部に逃がし、ＰＤＰ１１を所定の温度以下に保つことが必要である。
【０００６】
筐体１６内から外への放熱について、図５を用いて説明すると、ＰＤＰ１１で発生した熱は、伝熱シート１２を介してシャーシ１３に伝えられる。また、データドライバ１４ｃで発生した熱の６〜８割は、データドライバ１４ｃとシャーシ１３とを接続するボスを介してシャーシ１３に伝達される。シャーシ１３に伝達された熱のうち大部分の熱は、筐体１６内の空気に伝達され、筐体１６内の空気の温度が上昇する。筐体１６には内部換気用の吸気口１６ａおよび排気口１６ｂが設けられているが、温度上昇した筐体１６内の空気を効率よく換気するためにファン１７が設置されることが多い。そして、ファン１７の稼働により、筐体１６の下部に設けられた吸気口１６ａから矢印Ａで示すように冷たい空気が外部から筐体１６内に取り入れられ、その空気が温度上昇しながら矢印Ｂで示すように上方に向かって流れた後に、筐体１６の上部に設けられた排気口１６ｂから矢印Ｃで示すように外部に排出される。
【特許文献１】特開２００７−１９９７０４号公報
【発明の開示】
【発明が解決しようとする課題】
【０００７】
ところで、使用者によっては筐体１６の背面１６ｃを壁面１８に接近させて使用することが想定される。その場合には、図５に示すように、ＰＤＰ１１の前面側でＰＤＰ１１によって暖められた空気１７が矢印Ｄで示すように筐体１６の側方等を通って筐体１６の裏側に回り込み易くなり、この暖かい空気が吸入口１６ａから吸い込まれることにより筐体１６内の冷却効率が悪くなる。
【０００８】
本発明は、このような事情に鑑み、壁掛け時においても良好な冷却効率を維持することができる画像表示装置を提供することを目的とする。
【課題を解決するための手段】
【０００９】
前記目的を達成するために、本発明は、画像を表示する前面およびこの前面と反対側を向く背面を有する表示パネルと、前記表示パネルを背面側から収容する筐体であって内部換気用の吸気口および排気口が設けられた筐体と、前記筐体の前記表示パネルを取り巻く外周面から、前記表示パネルの前面側の空気が前記吸気口へ流れ込むことを規制するように突出する規制板と、を備える、画像表示装置を提供する。
【発明の効果】
【００１０】
上記の構成によれば、画像表示装置が壁面に接近して配置された場合でも、規制板によって表示パネルの前面側の空気が吸気口へ流れ込むことが規制される。従って、本発明によれば、壁掛け時においても良好な冷却効率を維持することができる。
【発明を実施するための最良の形態】
【００１１】
以下、本発明を実施するための最良の形態について、図面を参照しながら説明する。なお、以下の説明は本発明の一例に関するものであり、本発明はこれらによって限定されるものではない。
【００１２】
（第１実施形態）
図１および図２に、本発明の第１実施形態に係る画像表示装置１Ａを示す。この画像表示装置１Ａは、プラズマディスプレイであり、画像を表示する前面２ａおよびこの前面２ａと反対側を向く背面２ｂを有するＰＤＰ（表示パネル）２と、ＰＤＰ２を背面側から収容する筐体３とを備えている。さらに、画像表示装置１Ａは、筐体３内にＰＤＰ２を背面側から伝熱シート２５を介して支持するシャーシ５を備えているとともに、ＰＤＰ２の前面側にクッション材６５を挟んで配置された前面フィルタ６を備えている。
【００１３】
ＰＤＰ２は、長方形状の形状を有しており、一般に、長手方向が水平方向になる姿勢で配置される。本実施形態では、ユーザーがＰＤＰ２の前面２ａに表示される画像を見やすくなるようにするために、取付金具９０により、ＰＤＰ２が前傾姿勢となる状態（ＰＤＰ２の短手方向が鉛直方向に対して少し傾いた状態）で筐体３が壁面９に取り付けられている。なお、本明細書では、説明の便宜のために、ＰＤＰ２の厚み方向のうち前面２ａ側を前方、背面２ｂ側を後方というとともに、ＰＤＰ２の長手方向を左右方向という。
【００１４】
具体的に、ＰＤＰ２は、図示は省略するが、前面ガラス基板と背面ガラス基板とが貼り合わされて構成されている。そして、前面ガラス基板の背面ガラス基板と反対側の面によって前面２ａが構成され、背面ガラス基板の前面ガラス基板と反対側の面によって背面２ｂが構成されている。前面ガラス基板には、左右方向に延びる走査電極と維持電極とからなる表示電極対が多数形成されており、背面ガラス基板には、上下方向に延びるアドレス電極が多数形成されている。
【００１５】
前面フィルタ６は、ガラスまたはアクリルなどの樹脂で構成された透明基板上に導電性フィルムを含む種々の機能フィルムが積層されたものである。
【００１６】
シャーシ５は、アルミ等の熱伝導率の高い金属で構成された板状のものである。このシャーシ５は、ＰＤＰ２よりも一回り大きな長方形状をなしており、その周縁部がＰＤＰ２から全周に亘って張り出している。シャーシ５のＰＤＰ支持面と反対側の面には、電源回路基板５１、電源回路基板５１を挟んで配置された左右一対のＰＤＰ駆動回路基板５２、シャーシ５の下部に横一列に配置されたデータドライバ５３、およびチューナボックス５４が取り付けられている。ＰＤＰ駆動回路基板５２およびデータドライバ５３はフレキシブルケーブルによってＰＤＰ２と接続されている。
【００１７】
筐体３は、ＰＤＰ２を当該ＰＤＰ２の厚み方向と直交する方向から取り巻く外周面３０と、後方を向き、その周縁部が外周面３０ａの後端部につながる背面３ａと、外周面３０ａの前端部から所定量だけ内側に向かう矩形枠状の前面３ｂとを有している。外周面３０は、具体的に、ＰＤＰ２の下方に位置し、下方を向く下面３０ａと、ＰＤＰ２の上方に位置し、上方を向く上面３０ｂと、ＰＤＰ２の側方である左右両側に位置し、左方または右方を向く一対の側面３０ｃとを有している。そして、本実施形態では、一対の側面３０ｃのそれぞれに、当該側面３０ｃから突出する規制板４１が設けられている。
【００１８】
より詳しくは、筐体３は、ＰＤＰ２の前方に窓３５を形成する枠状のフロントカバー３１と、このフロントカバー３１に連結されて、ＰＤＰ２をシャーシ５に取り付けられた電気部品５１〜５４と共に背面側から覆うバックカバー３２とからなっている。
【００１９】
フロントカバー３１は、窓３５となる開口が形成された正面板３１ａと、この正面板３１ａの外周縁部から後方に延びる略矩形筒状の周壁３１ｂとを有している。正面板３１ａは、筐体３の前面３ｂを形成しており、この正面板３１ａの内周縁部には、後方から前面フィルタ６の周縁部が接合されている。また、周壁３１ｂには、内周面から内向きに突出するリング状の固定部３１ｃが設けられており、この固定部３１ｃにシャーシ５の周縁部が固定されている。
【００２０】
一方、バックカバー３２は、電気部品５１〜５４を挟んでシャーシ５と対向する底壁３２ａと、この底壁３２ａの周縁部から前方に立ち上がる周壁３２ｂとを有している。底壁３２ａは、ＰＤＰ２の背面側に位置し、筐体３の背面３ａを形成している。
【００２１】
フロントカバー３１の周壁３１ｂの先端とバックカバー３２の周壁３２ｂの先端とは、ボルト止め等により互いに連結されている。そして、フロントカバー３１の周壁３１ｂの外周面およびバックカバー３２の周壁３２ｂの外周面によって、筐体３における外側を向く外周面３０が構成されている。
【００２２】
フロントカバー３１は、例えば樹脂を主成分とする材料からなり、バックカバー３２は、例えば鉄を主成分とする材料からなっている。なお、フロントカバー３１の正面板３１ａの下部には、音声出力部（スピーカ）８が設けられている。
【００２３】
さらにバックカバー３２には、筐体３内換気用の吸気口３３および排気口３４が設けられているとともに、排気口３４を内側から塞ぐようにファン７が設置されている。本実施形態では、吸気口３３は、底壁３２ａの下部と周壁３２ｂの下部の２箇所に設けられており、排気口３４は、底壁３２ａの上部の１箇所に設けられている。そして、ファン７の稼働により、図２中に矢印ａ，ｂ，ｃで示すように空気が流れて、筐体３内から外への放熱が行われる。
【００２４】
吸気口３３および排気口３４は、例えば６〜８ｍｍのピッチで縦横に並ぶ、直径３〜５ｍｍの円形の孔によって構成することができる。また、孔が形成された領域の面積に対する孔の総面積の割合で表される開口率は、例えば３０〜６０％である。
【００２５】
筐体３の外周面３０の一対の側面３０ｃに設けられた規制板４１のそれぞれは、本実施形態では筐体３の高さと同程度の高さで側面３０ｃから側方に所定量（例えば、筐体３の高さの１／１０〜１／５程度）突出している。このため、規制板４１によって、ＰＤＰ２の前面側の空気１０が図１および図２中に矢印ｄで示したように筐体３の側方を通って吸気口３３へ流れ込むことが規制されるようになっている。
【００２６】
なお、規制板４１の高さは筐体３の高さと同程度である必要はなく、規制板４１は、少なくとも吸気口３３に対応する高さ領域を上下に横切るように設けられていればよい。ＰＤＰ２の前面側の空気１０はＰＤＰ２（正確には、ＰＤＰ２からの輻射熱）によって暖められて上昇しながら筐体３の側方から筐体３の裏側に回り込むため、このようになっていれば、その上昇しながらの空気１０の回り込みを効果的に抑制することができる。特に、ＰＤＰ２が前傾姿勢となっている場合は、ＰＤＰ２が鉛直方向に起立している場合と比べて、空気１０の上昇気流の方向が吸気口３３に近づく方向になるため、その効果は大きい。例えば、規制板４１は、側面３０ｃの下端から吸気口３３を少し超える位置まで延びていてもよい。
【００２７】
また、本実施形態では、各規制板４１は、側面３０ｃの前端部（すなわち、フロントカバー３１）に、フロントカバー３１の正面板３１ａの前面（すなわち、筐体３の前面３ａ）と規制板４１の前面とが連続した面を形成するように設けられている。これにより、意匠性が高められている。
【００２８】
各規制板４１は、フラットになっていてもよいが、筐体３から遠ざかるにつれて前方に位置するように屈曲していることが好ましい。本実施形態では、各規制板４１は、前面が曲面を形成するように前方に向かって滑らかに湾曲している。ただし、各規制板４１は、基部から先端に向かって直線部と折れ曲がり部を交互に繰り返すように屈曲していてもよい。
【００２９】
規制板４１は、樹脂で構成されていてもよいが、金属で構成されていることが好ましい。規制板４１が金属で構成されていれば、当該規制板４１を放熱板としても利用することができるとともに、当該規制板４１が音声出力部８からの音声に共鳴する共鳴板として機能するようにもなる。
【００３０】
以上説明したように、本実施形態の画像表示装置１Ａでは、画像表示装置１Ａが壁面９に接近して配置されて筐体３の背面３ａと壁面９との間の距離が僅かな場合でも、規制板４１によってＰＤＰ２の前面側でＰＤＰ２によって暖められた空気１０が吸気口３３へ流れ込むことが規制される。従って、壁掛け時においても良好な冷却効率を維持することができる。
【００３１】
また、規制板４１は、筐体３から遠ざかるにつれて前方に屈曲しているので、ＰＤＰ２の前面側の空気１０が規制板４１を乗り越え難くなっている。
【００３２】
さらに、本実施形態では、バックカバー３２の底壁３２ａだけでなく周壁３２ｂの下部にも吸気口３３が設けられているので、自然対流により上昇する空気ｅの流れを利用してその空気ｅを合理的に筐体３内に取り込むことができる。
【００３３】
（第２実施形態）
図３および図４に、本発明の第２実施形態に係る画像表示装置１Ｂを示す。この画像表示装置１Ｂは、第１実施形態の画像表示装置１Ａに第２の規制板４２を加えただけのものである。
【００３４】
第２の規制板４２は、筐体３の外周面３０の下面３０ａに設けられている。この第２の規制板４２は、外周面の側面３０ｃに設けられた規制板４１（以下、「第１の規制板４１」という。）と同様に構成されたものであり、その長さが異なるだけである。
【００３５】
すなわち、第２の規制板４２は、筐体３の幅と同程度の幅で下面３０ａから下方に所定量（第１の規制板４１と同程度）突出している。このため、第２の規制板４２によって、ＰＤＰ２の前面側の空気１０が図３および図４中に矢印ｈで示したように筐体３の下方を通って吸気口３３へ流れ込むことが規制されるようになっている。
【００３６】
また、第２の規制板４２は、下面３０ａの前端部（すなわち、フロントカバー３１）に、フロントカバー３１の正面板３１ａの前面（すなわち、筐体３の前面３ａ）と第２の規制板４２の前面とが連続した面を形成するように設けられている。これにより、第１の規制板４１と同様に、意匠性が高められている。なお、さらに意匠性を高めるために、第１の規制板４１と第２の規制板４２との間に、これらをつなぐコーナー部を設けてもよい。
【００３７】
さらに、第２の規制板４２は、前面が曲面を形成するように前方に向かって滑らかに湾曲していて、筐体３から遠ざかるにつれて前方に位置するように屈曲している。ただし、第２の規制板４２も、基部から先端に向かって直線部と折れ曲がり部を交互に繰り返すように屈曲していてもよい。
【００３８】
このような構成の画像表示装置１Ｂでは、第１実施形態の画像表示装置１Ａの効果に加えて、次のような効果を得ることができる。すなわち、第２実施形態では、ＰＤＰ２が前傾姿勢となる状態で筐体３が壁面９に取り付けられていて、筐体３の下部と壁面９との間の距離は極めて小さくなっている。この場合、第２の規制板４１がなければ、画像表示装置１Ｂの下側から自然対流により上昇する空気ｅは、筐体３と壁面９との間に入り込むことが難しく、殆どが図４中に矢印ｇで示すように画像表示装置１Ｂの前面側に流れてしまう。これに対し、本実施形態では、第２の規制板４１が筐体３０の下面３０ａに設けられているので、上昇する空気ｅを第２の規制板４１によって図４中に矢印ｆで示すように筐体３と壁面９との間に誘導することができる。これにより、新鮮な空気をより効果的に筐体３内に導くことができ、冷却効率を向上させることができる。
【００３９】
（変形例）
なお、前記各実施形態では、ＰＤＰ２が前傾姿勢となる状態で筐体３が壁面９に取り付けられているが、筐体３は、ＰＤＰ２が鉛直方向に平行となる状態で壁面９に取り付けられるものであってもよい。
【００４０】
また、ファン７は省略可能であり、自然対流のみで筐体３内を冷却することも可能である。
【００４１】
また、本発明は、プラズディスプレイだけでなく、液晶ディスプレイ、または有機もしくは無機ＥＬ等の他の画像表示装置にも適用可能である。すなわち、本発明の表示パネルは、液晶パネルまたはＥＬパネル等であってもよい。
【００４２】
＜本発明の特徴＞
以上では本発明の特定の形態について説明したが、本発明の特徴をまとめると以下のとおりである。
【００４３】
（１）
本発明の画像表示装置は、画像を表示する前面およびこの前面と反対側を向く背面を有する表示パネルと、
前記表示パネルを背面側から収容する筐体であって内部換気用の吸気口および排気口が設けられた筐体と、
前記筐体の前記表示パネルを取り巻く外周面から、前記表示パネルの前面側の空気が前記吸気口へ流れ込むことを規制するように突出する規制板と、を備える。
【００４４】
（２）
前記規制板は、前記筐体から遠ざかるにつれて前記表示パネルの前面が向く方向に位置するように屈曲していることが好ましい。
【００４５】
（３）
前記吸気口は、前記筐体における前記表示パネルの背面側に位置する部分に設けられていることが好ましい。
【００４６】
（４）
前記外周面は、前記表示パネルの下方に位置する下面、前記表示パネルの上方に位置する上面、および前記表示パネルの側方に位置する一対の側面を有しており、
前記規制板は、前記外周面の一対の側面のそれぞれに設けられていることが好ましい。
【００４７】
（５）
前記規制板のそれぞれは、前記吸気口に対応する高さ領域を上下に横切るように設けられていることが好ましい。
【００４８】
（６）
前記規制板は、前記外周面の下面にも設けられていることが好ましい。
【００４９】
（７）
前記筐体は、前記表示パネルが前傾姿勢となる状態で壁面に取り付けられるものであることが好ましい。
【００５０】
（８）
前記筐体は、前記表示パネルの前方に窓を形成するフロントカバーと、このフロントカバーに連結されて、前記表示パネルを背面側から覆うバックカバーとを有し、
前記吸気口および前記排気口は前記バックカバーに設けられており、前記規制板は、前記フロントカバーに設けられていることが好ましい。
【００５１】
（９）
前記表示パネルは、プラズマディスプレイパネルであることが好ましい。
【産業上の利用可能性】
【００５２】
本発明は、表示パネルの温度低減に効果があり、特に壁掛けを想定した画像表示装置に有用である。
【図面の簡単な説明】
【００５３】
【図１】本発明の第１実施形態に係る画像表示装置を示す斜視図である。
【図２】図１に示した画像表示装置の概略的な縦断面図である。
【図３】本発明の第２実施形態に係る画像表示装置を示す斜視図である。
【図４】図３に示した画像表示装置の概略的な縦断面図である。
【図５】従来の画像表示装置を概略的に示す縦断面図である。
【符号の説明】
【００５４】
１    画像表示装置
２    ＰＤＰ（表示パネル）
２ａ  前面
２ｂ  背面
３    筐体
３ａ  外壁面
３０  外周面
３０ａ  下面
３０ｂ  上面
３０ｃ  側面
３１  フロントカバー
３２  バックカバー
３３  吸気口
３４  排気口
３５  窓
４１  規制板
４２  第２の規制板
【図１】
2010066654.tif 000003
【図２】
2010066654.tif 000004
【図３】
2010066654.tif 000005
【図４】
2010066654.tif 000006
【図５】
2010066654.tif 000007